(57)【特許請求の範囲】
【請求項１】
射出成形装置用ノズルにおいて、
ねじ部分及びノズルチャンネルを有するノズル本体と、
前記ノズルチャンネルと連通したノズルチップチャンネルを有するノズルチップと、
前記ノズルチップを前記ノズル本体に固定するための、非金属材料製の一つの表面層又は非金属材料製のコーティングを備えたねじ部分を有する固定装置とを備え、この固定装置の前記ねじ部分は前記ノズル本体のねじ部分と螺合し、前記非金属材料は、前記ノズル本体のねじ部分の材料とは異なり、前記非金属材料は誘電体である、射出成形装置用ノズル。
【請求項２】
前記非金属材料は、セラミック材料、ポリイミド材料及び結晶質からなる群から選択された材料である、請求項１に記載のノズル。
【請求項３】
前記セラミック材料は、アルミナ、ジルコニア、シリコンカーバイド、シリコンナイトライド、アルミニウムナイトライド又はボロンカーバイドである、請求項２に記載のノズル。
【請求項４】
前記結晶質はサファイヤである、請求項２に記載のノズル。
【請求項５】
前記固定装置は全体が非金属材料でできている、請求項１乃至４のうちのいずれか一項に記載のノズル。
【請求項６】
前記固定装置の前記ねじ部分はその内面に設けられており、前記ノズル本体の外面に設けられた前記ねじ部分と螺合する、請求項１乃至５のうちのいずれか一項に記載のノズル。
【請求項７】
前記固定装置の前記ねじ部分はその外面に設けられており、前記ノズル本体の内面に設けられた前記ねじ部分と螺合する、請求項１乃至６のうちのいずれか一項に記載のノズル。
【請求項８】
前記ノズル本体はその下流端にねじ部分を有し、前記ノズルチャンネルはマニホールドチャンネルと連通するようになっており、
前記ノズルチップは前記ノズル本体の前記下流端に配置されており、前記ノズルチップは前記ノズルチャンネルと連通したノズルチップチャンネルを有する、請求項１乃至７のうちのいずれか一項に記載のノズル。
【請求項９】
前記非金属材料の熱伝導率は、６．５Ｗ／ｍＫ以下、好ましくは４Ｗ／ｍＫ以下である、請求項１乃至８のうちのいずれか一項に記載のノズル。
【請求項１０】
射出成形装置において、
マニホールドチャンネルを有するマニホールドと、
請求項１乃至９のうちのいずれか一項に記載のノズルと、
金型ゲートが前記ノズルチップチャンネルと連通した金型キャビティとを含む、射出成形装置。
【請求項１１】
前記固定装置は、更に、前記ノズルチップの外壁の少なくとも一部と当接する肩部を含む、請求項１０に記載の射出成形装置。
【請求項１２】
前記肩部は、前記ノズルチップの外壁の少なくとも一部とかみ合うための傾斜面を含む、請求項１１に記載の射出成形装置。
【請求項１３】
前記固定装置は、更に、前記金型ゲートを取り囲む金型キャビティプレートと当接するシール面を有するシール部分を含み、
前記肩部は前記シール部分の上流端に配置されている、請求項１１又は１２に記載の射出成形装置。
【請求項１４】
前記固定装置は、前記金型ゲートを取り囲む金型キャビティプレートと当接する、請求項１０に記載の射出成形装置。
【請求項１５】
前記固定装置は、更に、前記金型キャビティプレートと当接するシール面を有するシール部分を含む、請求項１０に記載の射出成形装置。
【請求項１６】
前記固定装置の肩部はねじ部分とシール部分との間に配置されており、前記シール部分は前記肩部から下流方向に延びており、シール面を含む、請求項１５に記載の射出成形装置。
【請求項１７】
前記シール面は断熱材料で形成されている、請求項１５又は１６に記載の射出成形装置。
【請求項１８】
前記シール面の前記断熱材料は、非金属材料、セラミック材料、アルミナ、ジルコニア、シリコンカーバイド、シリコンナイトライド、アルミニウムナイトライド、サファイヤ、ボロンカーバイド又はポリイミドのうちの一つを含む、請求項１７に記載の射出成形装置。
【請求項１９】
射出成形装置の製造方法において、
（ａ）（ｉ）ねじ山を備えた下流部分及びノズルチャンネルを有するノズル本体、及び（ｉｉ）チップチャンネルを有するノズルチップを有するノズルを形成する工程と、
（ｂ）マニホールドチャンネルを有するマニホールドにノズルを、前記ノズルチャンネルが前記マニホールドチャンネルと流体連通するように連結する工程と、
（ｃ）前記ノズル本体のねじ部分と螺合する非金属材料製のねじ部分を有する固定装置を使用してノズルチップをノズル本体に固定する工程であって、前記非金属材料は、前記ノズル本体のねじ部分の材料とは異なり、前記非金属材料は誘電体であるような工程と、
（ｄ）前記ノズルチップチャンネルと流体連通した金型ゲートを有する金型キャビティを連結する工程とを含む、射出成形装置の製造方法。
【発明の詳細な説明】
【技術分野】
【０００１】
本願は、米国特許法第１１９条（ｅ）項に基づき、２００３年５月８日に出願された「迅速に取り外すことができるノズルチップ」という表題の米国仮特許出願第６０／４６８，６２９号の優先権を主張するものである。この特許出願に触れたことにより、この特許出願に開示された内容は本明細書中に含まれたものとする。
【０００２】
本願は、２００３年１０月１７日に出願された「射出成形装置の取り外し可能なノズルチップ用の転写シール」という表題の米国特許出願第１０／６８６，６２４号と関連している。この特許出願に触れたことにより、この特許出願に開示された内容は本明細書中に含まれたものとする。
【０００３】
本発明は、全体として、射出成形装置用のノズルに関し、更に詳細には、取り外し可能なノズルチップ用の固定装置に関する。
【背景技術】
【０００４】
従来の射出成形ノズルは、ノズル本体及び別体のチップを含む。チップは、代表的には、ノズル本体に連結されたヒーターから、チップを通って流れる溶融体に熱を伝達する高度に熱伝導性の材料で形成される。チップは、ノズル本体に設けられたねじ山に直接連結できるねじ部分を備えているか、或いは、変形例では、チップをノズル本体と相接した状態で固定する取り外し可能な固定装置を設ける。固定装置は、代表的には、ノズル本体に設けられたねじ山と螺合するねじ部分を含む。固定装置は、チップをノズル本体に固定する他、チップを金型キャビティプレートから断熱するのに使用することができる。
【０００５】
固定装置は、代表的には、チップを金型キャビティプレートから断熱するため、鋼やチタニウム等の熱伝導率の低い材料で形成される。固定装置は、加圧された溶融体がノズル本体を取り囲む断熱空気空間に漏れ込まないようにするため、更に、金型キャビティプレートに関してシールを形成することができる。
【０００６】
以上に説明したノズルを有する射出成形装置は、様々な理由のためにその運転が停止される。例えば、定期点検や誤作動のために運転が停止される。更に、チップを別の成形用途に適した形体の別の種類のチップと交換するためにも運転が停止される。
【０００７】
代表的には、チップを交換するため、ノズルの先端へのアクセスを確保しなければならない。チップの交換後、交換チップを所定の位置に固定するための固定装置をノズル本体に再度取り付ける。
【０００８】
ノズル本体及び固定装置の両方の収縮及び膨張は、代表的には、射出成形装置の運転の停止及び再始動の度毎に起こる。これにより、ノズル本体及び固定装置に設けられたねじ山が互いに擦り付けられる。この擦り付けによりねじ山の齧りが生じる。
【０００９】
極端な場合には、ねじ山の齧りにより、ねじ山の焼き付きや冷間圧接が生じる。ねじ山が焼き付いてしまうと、固定装置とノズル本体とを引き離そうとしたときにねじ山に不可逆的な損傷が生じる。
【００１０】
従来の固定装置は通常、ＰＶＣ（ポリ塩化ビニル）やテフロン（登録商標）を入れたポリアミド等の腐食性プラスチックで使用するのに適していない。このようなプラスチックは、固定装置を腐蝕し易く、そのため頻繁に交換する必要があり、これには費用がかかる。
【００１１】
ノズル用の従来の固定装置は、幾つかの用途において、金型ゲートの周囲に残る溶融体の量を制限するのに使用することができるシールをノズルと隣接して提供するのに使用することができる。シールは、固定装置と金型の表面との間の直接接触により低温でなされる。
【発明の開示】
【発明が解決しようとする課題】
【００１２】
従って、ノズル本体及び固定装置に配置された相補的なねじ山の齧りが起こらないように保護するシステム及び方法が必要とされている。
【課題を解決するための手段】
【００１３】
本発明の一実施の形態は、射出成形装置用のノズルを提供する。このノズルは、ノズル本体及びノズルチップを含む。ノズル本体は、ねじ山を備えた部分及びノズルチャンネルを有する。ノズルチップは、溶融体流れを受け取るため、ノズルチャンネルと連通したノズルチップチャンネルを有する。固定装置はノズルチップをノズル本体に固定し、非金属材料製の、又は少なくとも非金属材料製の表面層又はコーティングを備えたねじ部分を含む。
【００１４】
本発明の別の実施の形態は、マニホールド、ノズルチップの固定装置を有するノズル、及び金型キャビティを含む射出成形装置を提供する。マニホールドはマニホールドチャンネルを有する。ノズルはノズル本体及びノズルチップを有する。ノズル本体はねじ山を備えた下流端及びマニホールドチャンネルと連通したノズルチャンネルを有する。ノズルチップはノズル本体のねじ山を備えた下流端と隣接して配置されており、ノズルチップはノズルチャンネルと連通したノズルチップチャンネルを有する。固定装置は、ノズルチップをノズル本体に固定し、ノズル本体のねじ山を備えた下流端と螺合する非金属材料製のねじ部分を有する。固定装置は、金型ゲートを取り囲む金型キャビティプレートに当接するように位置決めされ、ノズルと金型キャビティプレートとの間にシールを形成する。金型ゲートは、ノズルチップチャンネルと金型キャビティとの間を流体連通する。
【００１５】
従って、例では、ノズルチップの固定装置は、ノズルチップの固定装置を通した熱損を大幅に減少するか或いはなくすため、周囲の金型プレートよりも熱伝導率が低い材料から形成しなければならない。
【００１６】
本発明の別の実施の形態は、（ａ）（ｉ）ねじ山を備えた下流部分及びノズルチャンネルを有するノズル本体、及び（ｉｉ）チップチャンネルを有するノズルチップを有するノズルを形成する工程と、（ｂ）マニホールドチャンネルを有するマニホールドにノズルを、ノズルチャンネルがマニホールドチャンネルと流体連通するように連結する工程と、（ｃ）ノズル本体のねじ部分と螺合する非金属材料製のねじ部分を有する固定装置を使用してノズルチップをノズル本体に固定する工程と、（ｄ）ノズルチップチャンネルと流体連通した金型ゲートを有する金型キャビティを連結する工程とを含む、射出成形装置の製造方法を提供する。
【００１７】
本発明のその他の実施の形態、特徴及び利点、並びに本発明の様々な実施の形態の構造及び作動を、添付図面を参照して以下に詳細に説明する。
【００１８】
本明細書中に組み込んだ、本明細書の一部をなす添付図面は、本発明を例示し、以下の記載とともに本発明の原理を説明するのに役立ち、更に、当業者が本発明を構成して使用することができるようにするのにも役立つ。
【００１９】
次に、添付図面を参照して本発明を詳細に説明する。図面では、同じ又は機能的に同様の要素に対して同様の参照符号が付してある。
【発明を実施するための最良の形態】
【００２０】
〔概要〕
本発明の一つの又はそれ以上の実施の形態は、ノズル本体及びノズルチップを含む少なくとも一つのノズルを備えた射出成形装置を提供する。非金属製ねじ山又は非金属製のコーティングを備えたねじ山を、ノズル本体に設けられた相補的な金属製ねじ山と螺合することによって、ノズルチップをノズル本体に固定するのに固定装置が使用される。この実施の形態では、非金属製ねじ山又は非金属製コーティングを備えたねじ山を使用することにより、固定装置の寿命は、鋼製又はチタニウム製の従来の固定装置よりも長い。この実施の形態の固定装置は、相補的ねじ山に異なる材料を使用することにより、ねじの齧りをなくすか或いは大幅に低減させる。
【００２１】
〔例示のシステム〕
図１は、本発明の一実施の形態による射出成形装置１０を示す。この実施の形態では、射出成形装置１０は、マニホールド溶融体チャンネル１４を有するマニホールド１２を有する。このマニホールド１２は、スプルーブッシュ１６から型成形可能な加圧材料の溶融体流れを受け入れる。スプルーブッシュ１６は、機械ノズル（図示せず）と連通している。
【００２２】
射出成形装置１０は、更に、マニホールド１２の夫々の出口２０に連結された一つ又はそれ以上のノズル１８を含む。型成形可能な加圧材料の溶融体流れをマニホールド１２から受け取るため、ノズルチャンネル２２が各ノズル１８のノズル本体１９を通って延びている。ノズルチップ２４が各ノズル１８の下流端に連結されている。各ノズルチップ２４は、溶融体流れを受け取るために夫々のノズルチャンネル２２と整合した溶融体チャンネル２６を含む。
【００２３】
金型ゲート３０が金型キャビティプレート３２に設けられている。金型ゲート３０は、夫々のキャビティ３４に溶融体流れを送出することができるように開放している。図示の例では、金型ゲート３０は熱ゲート式である。しかしながら、変形例では、金型ゲート３０はバルブゲート式である。
【００２４】
溶融体流れを所望の温度に維持するため、マニホールドヒーター４０を使用してマニホールド１２を加熱し、ノズルヒーター４２を使用してノズル１８を加熱する。金型キャビティ３４内での溶融体流れの冷却を促進するため、冷却チャンネル４４が金型ゲート３０及び金型キャビティ３４と隣接して設けられている。ノズルチップ２４をノズル１８に固定するため、固定装置４６がノズル１８の下流端５２に設けられている。例えば、固定装置４６は、転写シール、チップリテーナ、ノズルシール、ゲートシール等であってもよいが、これらに限定されない。
【００２５】
図２は、内壁５８にねじ山５０が形成されたねじ部分４８を含む固定装置４６を示す。一実施の形態では、ねじ部分４８の外壁６０は、固定装置４６を締めたり緩めたりすることができるように工具と噛み合うために六角ナット状である。固定装置４６をノズル１８に連結するため、ねじ部分４８のねじ山５０は、ノズル１８の下流端５２の外面５６に形成されたねじ山５４と噛み合う。
【００２６】
この例では、固定装置４６は、ノズルチップ２４に向かって内方に延びる肩部６２を更に含む。この肩部６２は、ノズルチップ２４の外面６６に当接する傾斜面６４を含む。他の例では、肩部６２は、様々なノズルチップの設計に合わせて水平であってもよいし、任意の角度で傾斜していてもよいということは理解されるべきである。固定装置４６のシール部分７０は、肩部６２から下流方向に延びている。シール部分７０は、金型キャビティプレート３２の開口部７４の周壁７６に当接するシール面７２を含む。
【００２７】
一例では、固定装置４６は、非金属材料、例えばセラミック材料から形成されている。適当な種類のセラミック材料には、アルミナ、ジルコニア、シリコンカーバイド、シリコンナイトライド、アルミニウムナイトライド及びボロンカーバイドが含まれるが、これらに限定されない。適当な種類のセラミックスが英国クルーのダイナミック−セラミック社、インド国のインダストリアル・ジュウェルＰｖｔ社、イスラエル国のマイクロツールス社、及び日本国のキョウセラ社から商業的に入手することができる。
【００２８】
別の例では、固定装置４６は、デラウェア州にあるデュポン社のヴェスペル（ヴェスペル（ＶＥＳＰＥＬ）は登録商標である）等のポリイミド、サファイヤ又は他の適当な結晶質で形成することができる。
【００２９】
別の例では、固定装置４６は金属材料から形成されるが、ねじ部分４８は、例えば以上に説明したセラミック材料等の非金属材料のコーティング又はフィルムを含む。これは、化学蒸着法によって、ねじ部分４８に薄膜潤滑剤をスプレーすることによって、又は他の周知の方法で形成することができる。
【００３０】
固定装置４６にセラミック材料を使用する本発明の実施の形態では、螺合するねじ部分４８と５０との間で齧りがほとんど起こらない。これは、このような用途で従来使用されてきた材料と同程度に膨張したり収縮したりすることがないためである。従って、セラミック製のねじ部分４８は、固定装置４６の取り外しを容易にし、固定装置４６及びノズル１８の両方の寿命を延ばす。これにより、修復及び／又は交換の頻度を減らすことができ、かくして固定装置４６及びノズルチップ２４の費用を低減することができる。
【００３１】
同様に、セラミック材料はその特性のため、シール部分７０のシール面７２で使用する上で適当な材料である。これは、シール面７２が金型キャビティプレート３２とノズルチップ２４との間を断熱するためである。一例では、固定装置４６が高温のノズルチップ２４及び低温の金型キャビティプレート３２の両方と接触するため、固定装置４６は、熱伝導率が低いのが望ましい。
【００３２】
この実施の形態では、作動中、溶融体流れは圧力によりマニホールド１２のマニホールドチャンネル１４を通って射出成形装置１０の複数のノズル１８のノズルチャンネル２２に流入する。溶融体は、ノズルチャンネル２２から、夫々のノズルチップ２４の溶融体チャンネル２８に流入し、金型ゲート３０を通過し、金型キャビティ３４に流入する。次いで、冷却ダクト４４を通って流れるクーラントによって金型キャビティ３４を冷却する。所定の時間が経過した後、型成形された部品を金型キャビティ３４から取り出す。
【００３３】
図示の実施の形態では、固定装置４６は、ノズルチップ２４をノズル１８と当接した状態に維持し、金型キャビティプレート３２の開口部７４の周壁７６とシール面７２との間にシールを提供する。この構成により、ノズル１８を取り囲む断熱空気空間７５に溶融体が漏出しないようにする。更に、この実施の形態では、固定装置４６は、高温であるノズルチップ２４を、低温である金型キャビティプレート３２から断熱する。
【００３４】
図３は、本発明の別の実施の形態による射出成形装置１０ａを示す。この実施の形態では、射出成形装置１０ａは、スプルーブッシュ１６ａから型成形可能な加圧材料を受け取るマニホールド溶融体チャンネル１４ａを有するマニホールド１２ａを含む。スプルーブッシュ１６ａは機械ノズル（図示せず）と連通している。ノズル１８ａは、マニホールド１２ａの夫々の出口２０ａに連結されている。マニホールド１２ａの出口２０ａから型成形可能な材料の溶融体流れを受け取るため、ノズルチャンネル２２ａが各ノズル１８ａのノズル本体１９ａを通って延びている。ノズルチップ２４ａが各ノズル１８ａの下流端に連結されている。各ノズルチップ２４ａは、溶融体流れを受け取るために夫々のノズルチャンネル２２ａと整合した溶融体チャンネル２６ａを含む。金型キャビティプレート３２ａには金型ゲート３０ａが設けられている。金型ゲート３０ａは、溶融体流れを夫々の金型キャビティ３４ａに送出することができるように作動する。
【００３５】
図４は、外壁６０ａにねじ山５０ａが形成されたねじ部分４８ａを有する固定装置４６ａを示す。固定装置４６ａをノズル１８ａに連結するため、ねじ部分４８ａのねじ山５０ａが、ノズル１８ａの下流端５２ａの内面５６ａに形成されたねじ山５４ａと螺合する。
【００３６】
この例では、固定装置４６ａは、ノズルチップ２４ａに向かって内方に延びる肩部６２ａを更に含む。この肩部６２ａは、ノズルチップ２４ａの外面６６ａに当接する傾斜面６４ａを含む。他の例において、肩部６２ａは、水平であってもよいし、様々なノズルチップの設計に合わせて任意の角度で傾斜していてもよいということは理解されるべきである。固定装置４６ａのシール部分７０ａは、肩部６２ａから下流方向に延びている。シール部分７０ａは、金型キャビティプレート３２ａの開口部７４ａの周壁７６ａに当接するシール面７２ａを含む。
【００３７】
一例では、固定装置４６ａは、非金属材料、例えばセラミック材料から形成されている。適当な種類のセラミック材料には、アルミナ、ジルコニア、シリコンカーバイド、シリコンナイトライド、アルミニウムナイトライド、サファイヤ及びボロンカーバイドが含まれるが、これらに限定されない。適当な種類のセラミックスが英国クルーのダイナミック−セラミック社、インド国のインダストリアル・ジュウェルＰｖｔ社、イスラエル国のマイクロツールス社、及び日本国のキョウセラ社から商業的に入手することができる。
【００３８】
別の例では、固定装置４６ａは、デラウェア州にあるデュポン社のヴェスペル（ヴェスペル（ＶＥＳＰＥＬ）は登録商標である）等のポリイミド、サファイヤ又は他の適当な結晶質で形成することができる。
【００３９】
別の例では、非金属材料は、６．５Ｗ／ｍＫ以下、好ましくは４Ｗ／ｍＫ以下の熱伝導率を有し、及び／又は誘電体である。
【００４０】
別の例では、固定装置４６ａは金属材料製であるが、ねじ部分４８ａは、非金属材料、例えば以上に説明したセラミック材料のコーティング又はフィルムを含む。これは、化学蒸着法によって、ねじ部分４８ａに薄膜潤滑剤をスプレーすることによって、又は他の周知の方法によって、又は、単に、ねじ部分４８ａのコア部分に固定したねじ山を備えたスリーブを使用することによって形成することができる。
【００４１】
固定装置４６ａにセラミック材料を使用する本発明の実施の形態では、螺合するねじ部分４８ａと５０ａとの間で齧りがほとんど起こらない。これは、セラミックが、このような用途で従来使用されてきた材料と同程度に膨張したり収縮したりすることがないためである。従って、セラミック製のねじ部分４８ａは、固定装置４６ａの取り外しを容易にし、固定装置４６ａ及びノズル１８ａの両方の寿命を延ばす。これにより、修復及び／又は交換の頻度を減らすことができ、かくして装置４６ａ及びノズルチップ２４ａを固定するための費用を低減することができる。
【００４２】
同様に、セラミック材料は、その特性のため、シール部分７０ａのシール面７２ａで使用する上で適当な材料である。これは、シール面７２ａが金型キャビティプレート３２ａとノズルチップ２４ａとの間を断熱するためである。一例では、固定装置４６ａが高温のノズルチップ２４ａ及び低温の金型キャビティプレート３２ａの両方と接触するため、熱伝導率が低い固定装置４６ａが望ましい。
【００４３】
この実施の形態では、作動中、溶融体流れは圧力によりマニホールド１２ａのマニホールドチャンネル１４ａを通って射出成形装置１０ａの複数のノズル１８ａのノズルチャンネル２２ａに流入する。溶融体は、ノズルチャンネル２２ａから、夫々のノズルチップ２４ａの溶融体チャンネル２８ａに流入し、金型ゲート３０ａを通過し、金型キャビティ３４ａに流入する。次いで、冷却ダクト４４ａを通って流れるクーラントによって金型キャビティ３４ａを冷却する。所定の時間が経過した後、型成形された部品を金型キャビティ３４ａから取り出す。
【００４４】
図示の実施の形態では、固定装置４６ａは、ノズルチップ２４ａをノズル１８ａと当接した状態に維持し、金型キャビティプレート３２ａの開口部７４ａの周壁７６ａとシール面７２ａとの間にシールを提供する。この構成により、ノズル１８を取り囲む断熱空気空間７５ａに溶融体が漏出しないようにする。更に、この実施の形態では、固定装置４６ａは、高温であるノズルチップ２４ａを、低温である金型キャビティプレート３２ａから断熱する。
【００４５】
図５は、本発明の別の実施の形態によるノズル５００を示す。上述した実施の形態と同様の参照符号を付した全ての要素は、以下に更に説明しない限り、上述した実施の形態と同様の構成要素である。同様のノズルが、バビン等に付与されたＷＯ０３／０２８９７３Ａ１の図２に記載されている。この特許に触れたことにより、この特許に開示された内容は本明細書中に含まれたものとする。ＷＯ０３／０２８９７３Ａ１の図２のノズルとは対照的に、ノズル５００は、非金属製固定装置５４６、又は固定装置５４６のねじ部分５４８に設けられた非金属製フィルム又はコーティングのいずれかを含む。以上に論じた実施の形態と図５に示す実施の形態との間の主な相違点は、固定装置５４６と金型５３２との間のシール機能が、金型キャビティシール面５７６と固定装置シール部分５７０との間に隙間シール５９４を形成する隙間Ｇ又は隙間空間５９２を使用してなされるということである。更に、図５には、ノズル５００の軸線５８０、並びにノズル本体５１８のボア５８２及び金型５３２のボア５８６が示してある。随意の整合装置５８４並びに随意の工具係合部分が外壁５６０に設けられている。かくして、この実施の形態では、固定装置５４６は金型５３２と直接的には接触しない。更に、この実施の形態では、隙間Ｇは、部分的又は全体的なシールとして作用する常温溶融材料製の薄膜で充填されている。
【００４６】
図６は、本発明の別の実施の形態によるノズル６００を示す。上述した実施の形態と同様の参照符号を付した全ての要素は、以下に更に説明しない限り、上述した実施の形態と同様の構成要素である。同様のノズルが、オラルに付与された米国公開特許出願第２００３／００８６９９７号の図１１に開示されている。この特許に触れたことにより、この特許に開示された内容は本明細書中に含まれたものとする。米国公開特許出願第２００３／００８６９９７号の図１のノズルとは対照的に、ノズル６００は、以上に更に詳細に論じたように、非金属製固定装置６４６又は固定装置６４６のねじ部分６４８に設けられた非金属製フィルム又はコーティングのいずれかを含む。以上に説明した実施の形態と図６に示す実施の形態との間の主な相違点は、固定装置６４６と金型６３２との間のシール機能が、シール−整合装置６９８を使用して行われるということである。この装置６９８は、シール及び／又は整合機能を実行するための多くの側部を有する。更に、図６には、ノズル６００の軸線６８０、並びに加熱装置６４２と隣接して配置された随意の熱電対装置６９６が示してある。かくして、この実施の形態では、固定装置６４６は、金型６３２と直接接触しない。
【００４７】
〔結論〕
本発明の様々な実施の形態を以上に説明したけれども、これらの実施の形態は単なる例であって限定ではないということは理解されるべきである。本発明の精神及び範囲から逸脱することなく、形態及び詳細において様々な変更を行うことができることは当業者には明らかであろう。かくして、本発明の範囲は、上述した例示の実施の形態のうちの任意の実施の形態によって限定されるべきではないが、以下の特許請求の範囲及びその均等物のみによって限定されるべきである。
【図面の簡単な説明】
【００４８】
【図１】本発明の一実施の形態による射出成形装置の側断面図である。
【図２】図１の射出成形装置の一部の側断面図である。
【図３】本発明の別の実施の形態による射出成形装置の部分側断面図である。
【図４】図３の射出成形装置の一部の側断面図である。
【図５】本発明の更に別の実施の形態によるノズルを示す部分側断面図である。
【図６】本発明の更に別の実施の形態によるノズルを示す部分側断面図である。
【符号の説明】
【００４９】
１０  射出成形装置
１２  マニホールド
１４  マニホールド溶融体チャンネル
１６  スプルーブッシュ
１８  ノズル
２０  マニホールド出口
２２  ノズルチャンネル
２４  ノズルチップ
２６  溶融体チャンネル
３０  金型ゲート
３２  金型キャビティプレート
３４  金型キャビティ
４０  マニホールドヒーター
４２  ノズルヒーター
４４  冷却チャンネル
４６  固定装置
４８  ねじ部分
５０  ねじ山
５２  下流端
５６  外面
５８  内壁
６０  外壁
６２  肩部
６４  傾斜面
６６  外面
７０  シール部分
７２  シール面
７４  開口部
７６  周囲壁
【図１】
0004758072.tif 000002
【図２】
0004758072.tif 000003
【図３】
0004758072.tif 000004
【図４】
0004758072.tif 000005
【図５】
0004758072.tif 000006
【図６】
0004758072.tif 000007